(57)【特許請求の範囲】
【請求項１】
冷蔵庫本体と、
左右両側のそれぞれの上部に取付孔を有する扉と、
上記冷蔵庫本体の左右両側のそれぞれに設けられると共に、上記取付孔の上側でこの取付孔に重なる貫通孔を有するヒンジ保持部材と、
上記貫通孔の上側からこの貫通孔に挿通され上記取付孔に抜き取り自在に差し込まれ、左右両側の上記貫通孔および上記取付孔に択一的に取り付けられて、上記扉を上記冷蔵庫本体に対して回転可能に取り付けるヒンジピンと、
上記扉の左右両側のそれぞれの下側に配置されると共に上記扉を上記冷蔵庫本体に対して上記ヒンジピンの軸回りに回転可能に取り付ける下ヒンジ部と、
上記冷蔵庫本体の左右両側のそれぞれに離脱自在に取り付けられると共に上記ヒンジ保持部材および上記ヒンジピンを覆うカバー部材と
を備え、
上記カバー部材は、ツメ部とガイド部とを有し、
上記冷蔵庫本体は、上記ツメ部を掛けるツメ部取付孔と、上記ガイド部を挿入するガイド部取付孔とを有し、
上記ツメ部を上記ツメ部取付孔に掛けることで、上記カバー部材は、上記冷蔵庫本体に固定されると共に、上記ガイド部を上記ガイド部取付孔に一定方向に挿入することで、上記カバー部材は、上記冷蔵庫本体に位置決めされて、上記一定方向以外への動きを抑制され、
上記カバー部材は、上記ツメ部および上記ガイド部が取り付けられた本体部を有し、
この本体部は、厚肉部と薄肉部とを有し、
上記薄肉部における上記ヒンジ保持部材に対向する面は、上記厚肉部における上記ヒンジ保持部材に対向する面よりも、上記ヒンジ保持部材から遠い位置にあり、
上記ツメ部は、上記薄肉部に連なり、上記ガイド部は、上記厚肉部に連なっていることを特徴とする冷蔵庫。
【請求項２】
請求項１に記載の冷蔵庫において、
上記カバー部材は、上記ヒンジピンの真上に位置するピン部を有し、
このピン部は、上記ヒンジピンが上記取付孔に完全に差し込まれない状態で、上記ヒンジピンに接触して、上記カバー部材の上記冷蔵庫本体への取り付けを阻止する一方、上記ヒンジピンが上記取付孔に完全に差し込まれた状態で、上記ヒンジピンに接触せずに、上記カバー部材の上記冷蔵庫本体への取り付けを可能にすることを特徴とする冷蔵庫。
【発明の詳細な説明】
【技術分野】
【０００１】
この発明は、抜き取り自在に差し込まれるヒンジピンにより扉の左右開きを変更することができる冷蔵庫に関する。
【背景技術】
【０００２】
従来、冷蔵庫としては、冷蔵庫本体と、この冷蔵庫本体の左右両側のそれぞれに設けられるヒンジ保持部材と、左右両側のヒンジ保持部材に択一的に取り付けられて扉を上記冷蔵庫本体に対して回転可能に取り付けるヒンジピンと、上記冷蔵庫本体に取り付けられて上記左右両側のヒンジ保持部材を同時に覆うカバー部材とを備えたものがある（特開２００６−６４２７９号公報：特許文献１参照）。
【０００３】
図８に示すように、上記カバー部材１０４は、上記冷蔵庫本体の上部のテーブル部１０３に、取り付けられている。上記カバー部材１０４は、左右方向に長尺に形成されている。
【０００４】
そして、上記扉の左右開きを変更するときに、上記カバー部材１０４を取り外して、上記ヒンジピンを左右に差し変える。
【特許文献１】特開２００６−６４２７９号公報
【発明の開示】
【発明が解決しようとする課題】
【０００５】
しかしながら、上記従来の冷蔵庫では、上記カバー部材１０４は、左右方向に長尺に形成された大型であるので、上記扉の左右開きを変更するときに、上記カバー部材１０４の取り外しの作業スペースが大きくなる問題があった。
【０００６】
そこで、この発明の課題は、上記扉の左右開きを変更するときに、上記カバー部材の取り外しの作業スペースを小さくできる冷蔵庫を提供することにある。
【課題を解決するための手段】
【０００７】
上記課題を解決するため、この発明の冷蔵庫は、
冷蔵庫本体と、
左右両側のそれぞれの上部に取付孔を有する扉と、
上記冷蔵庫本体の左右両側のそれぞれに設けられると共に、上記取付孔の上側でこの取付孔に重なる貫通孔を有するヒンジ保持部材と、
上記貫通孔の上側からこの貫通孔に挿通され上記取付孔に抜き取り自在に差し込まれ、左右両側の上記貫通孔および上記取付孔に択一的に取り付けられて、上記扉を上記冷蔵庫本体に対して回転可能に取り付けるヒンジピンと、
上記扉の左右両側のそれぞれの下側に配置されると共に上記扉を上記冷蔵庫本体に対して上記ヒンジピンの軸回りに回転可能に取り付ける下ヒンジ部と、
上記冷蔵庫本体の左右両側のそれぞれに離脱自在に取り付けられると共に上記ヒンジ保持部材および上記ヒンジピンを覆うカバー部材と
を備え、
上記カバー部材は、ツメ部とガイド部とを有し、
上記冷蔵庫本体は、上記ツメ部を掛けるツメ部取付孔と、上記ガイド部を挿入するガイド部取付孔とを有し、
上記ツメ部を上記ツメ部取付孔に掛けることで、上記カバー部材は、上記冷蔵庫本体に固定されると共に、上記ガイド部を上記ガイド部取付孔に一定方向に挿入することで、上記カバー部材は、上記冷蔵庫本体に位置決めされて、上記一定方向以外への動きを抑制され、
上記カバー部材は、上記ツメ部および上記ガイド部が取り付けられた本体部を有し、
この本体部は、厚肉部と薄肉部とを有し、
上記薄肉部における上記ヒンジ保持部材に対向する面は、上記厚肉部における上記ヒンジ保持部材に対向する面よりも、上記ヒンジ保持部材から遠い位置にあり、
上記ツメ部は、上記薄肉部に連なり、上記ガイド部は、上記厚肉部に連なっていることを特徴としている。
【０００８】
この発明の冷蔵庫によれば、上記冷蔵庫本体の左右両側のそれぞれに離脱自在に取り付けられると共に上記ヒンジ保持部材および上記ヒンジピンを覆うカバー部材を備えるので、上記扉の左右開きを変更するときに、左右の上記カバー部材を個別に取り外して、上記ヒンジピンを左右に差し変える。
【０００９】
したがって、上記カバー部材は、上記冷蔵庫本体の左右両側のそれぞれに設けられ、上記カバー部材を小型に形成できるので、上記扉の左右開きを変更するときに、上記カバー部材の取り外しの作業スペースを小さくできる。
また、上記カバー部材は、ツメ部とガイド部とを有し、上記冷蔵庫本体は、上記ツメ部取付孔と上記ガイド部取付孔とを有し、上記ツメ部を上記ツメ部取付孔に掛けることで、上記カバー部材は、上記冷蔵庫本体に固定されると共に、上記ガイド部を上記ガイド部取付孔に一定方向に挿入することで、上記カバー部材は、上記冷蔵庫本体に位置決めされて、上記一定方向以外への動きを抑制されるので、簡単な構成で、上記カバー部材の上記冷蔵庫本体への固定および位置決めを行うことができる。
また、上記薄肉部における上記ヒンジ保持部材に対向する面は、上記厚肉部における上記ヒンジ保持部材に対向する面よりも、上記ヒンジ保持部材から遠い位置にあるので、上記薄肉部は、上記厚肉部に比べて、上記ヒンジ保持部材側への押圧力に対する抵抗力が小さくなって、上記薄肉部は、弾性変形しやすくなる。したがって、上記薄肉部に連なっている上記ツメ部を、上記ツメ部取付孔に、容易に着脱できる。
【００１０】
【００１１】
【００１２】
また、一実施形態の冷蔵庫では、上記カバー部材を弾性変形して上記ツメ部を上記ツメ部取付孔から外すと共に、上記カバー部材を上記一定方向にスライドして上記ガイド部を上記ガイド部取付孔から抜き取ることで、上記カバー部材は、上記冷蔵庫本体から離脱される。
【００１３】
この実施形態の冷蔵庫によれば、上記カバー部材を弾性変形して上記ツメ部を上記ツメ部取付孔から外すと共に、上記カバー部材を上記一定方向にスライドして上記ガイド部を上記ガイド部取付孔から抜き取ることで、上記カバー部材は、上記冷蔵庫本体から離脱されるので、専用工具を使用せずに上記カバー部材を一度の作業で上記冷蔵庫本体から取り外すことができる。
【００１４】
【００１５】
【００１６】
また、一実施形態の冷蔵庫では、
上記カバー部材は、上記ヒンジピンの真上に位置するピン部を有し、
このピン部は、上記ヒンジピンが上記取付孔に完全に差し込まれない状態で、上記ヒンジピンに接触して、上記カバー部材の上記冷蔵庫本体への取り付けを阻止する一方、上記ヒンジピンが上記取付孔に完全に差し込まれた状態で、上記ヒンジピンに接触せずに、上記カバー部材の上記冷蔵庫本体への取り付けを可能にする。
【００１７】
この実施形態の冷蔵庫によれば、上記カバー部材のピン部は、上記ヒンジピンが上記取付孔に完全に差し込まれない状態で、上記ヒンジピンに接触して、上記カバー部材の上記冷蔵庫本体への取り付けを阻止する一方、上記ヒンジピンが上記取付孔に完全に差し込まれた状態で、上記ヒンジピンに接触せずに、上記カバー部材の上記冷蔵庫本体への取り付けを可能にするので、上記ヒンジピンが上記取付孔に確実に差し込まれていない状態で、上記カバー部材を上記冷蔵庫本体に取り付けようとすると、上記ピン部が上記ヒンジピンの上部に当接して、上記カバー部材を上記冷蔵庫本体に取り付けることができず、上記ヒンジピンが上記取付孔に確実に差し込まれているか否かを、容易に判断することができる。また、上記ピン部にて上記ヒンジピンの上記取付孔からの抜けを防止することができる。
【００１８】
また、一実施形態の冷蔵庫では、上記冷蔵庫本体における上記左右のカバー部材の間に位置する部分は、上記扉の真上に張り出しており、この張り出し部分の内部は、断熱材で満たされている。
【００１９】
この実施形態の冷蔵庫によれば、上記冷蔵庫本体の張り出し部分の内部は、断熱材で満たされているので、庫内からの冷気漏れを防ぐことができる。
【００２０】
また、一実施形態の冷蔵庫では、上記カバー部材は、上記冷蔵庫本体における上記左右のカバー部材の間に位置する部分と同じ材質である。
【発明の効果】
【００２１】
この発明の冷蔵庫によれば、上記冷蔵庫本体の左右両側のそれぞれに離脱自在に取り付けられると共に上記ヒンジ保持部材を覆うカバー部材を備えるので、上記扉の左右開きを変更するときに、上記カバー部材の取り外しの作業スペースを小さくできる。
【発明を実施するための最良の形態】
【００２２】
以下、この発明を図示の実施の形態により詳細に説明する。
【００２３】
図１は、この発明の冷蔵庫の一実施形態である平面図を示している。図２は、図１のＡ−Ａ断面図を示している。図１と図２に示すように、この冷蔵庫は、冷蔵庫本体１と、扉２と、上記扉２の上側で上記冷蔵庫本体１に設けられるヒンジ保持部材３と、上記扉２を上記ヒンジ保持部材３に対して回転可能に取り付けるヒンジピン４と、上記扉２の下側に配置されると共に上記扉２を上記冷蔵庫本体１に対して上記ヒンジピン４の軸回りに回転可能に取り付ける下ヒンジ部６と、上記冷蔵庫本体１に取り付けられると共に上記ヒンジ保持部材３および上記ヒンジピン４を覆うカバー部材５とを備える。すなわち、上記扉２は、上記ヒンジピン４の軸回りに回転し、上記冷蔵庫本体１に対して開閉可能になる。
【００２４】
上記冷蔵庫本体１の上部は、テーブル部１０であり、このテーブル部１０の上面は、テーブル面として利用される。なお、上記扉２を上下に複数個並列した冷蔵庫であって、この複数の扉２の何れかに、本発明のヒンジ構造を用いてもよい。
【００２５】
上記扉２は、左右両側のそれぞれの上部（上面）に取付孔２０を有する。上記扉２の内部は、ウレタン等の断熱材７で満たされている。
【００２６】
上記ヒンジ保持部材３は、上記冷蔵庫本体１の上記テーブル部１０の左右両側のそれぞれに設けられている。具体的に述べると、上記ヒンジ保持部材３は、プレート状であり、上記冷蔵庫本体１の上面に、ねじ等にて取り付けられている。また、上記ヒンジ保持部材３は、上記扉２の上記取付孔２０の上側でこの取付孔２０に重なる貫通孔３０を有する。
【００２７】
上記ヒンジピン４は、上記ヒンジ保持部材３の上記貫通孔３０の上側から、この貫通孔３０に挿通され、上記扉２の上記取付孔２０に抜き取り自在に差し込まれて、上記扉２を上記冷蔵庫本体１に対して回転可能に取り付ける。
【００２８】
上記下ヒンジ部６は、上記扉２の左右両側のそれぞれの下側に配置されると共に上記冷蔵庫本体１に取り付けられる支持部材６１と、この支持部材６１と上記扉２とを相対的に回転可能に連結する下ピン６２とを備える。
【００２９】
具体的に述べると、上記扉２は、左右両側のそれぞれの下部に孔部を有し、上記支持部材６１は、上記扉２の下部の孔部に重なる孔部を有する。上記下ピン６２は、上記下ピン６２の軸方向の中央部に、鍔部６２ａを有する。そして、上記下ピン６２の両端部は、それぞれ、上記扉２の下部の孔部と、上記支持部材６１の孔部とに挿入され、上記下ピン６２の鍔部６２ａは、上記扉２の下面と上記支持部材６１との間に挟まれて、上記下ピン６２は、上記扉２と上記支持部材６１とに離脱自在に取り付けられる。
【００３０】
上記ヒンジピン４は、右側の上記ヒンジ保持部材３に差し込まれている。上記下ピン６２は、右側の上記支持部材６１に差し込まれている。上記冷蔵庫本体１の右側にある上記ヒンジ保持部材３、上記ヒンジピン４および上記下ヒンジ部６により、上記扉２は、上記冷蔵庫本体１に対して上記ヒンジピン４の軸回りに回転可能になる。要するに、上記扉２は、右開きになる。なお、「右側」とは、冷蔵庫の扉に向かった正面視の右側をいう。
【００３１】
上記ヒンジ保持部材３と上記ヒンジピン４は、上記ヒンジピン４が上記扉２の上記取付孔２０に差し込まれた状態で、上記ヒンジピン４の軸回り方向に相互に位置決めされている。具体的に述べると、上記ヒンジピン４の先端部は、Ｄカット加工を施され、上記扉２の上記取付孔２０は、上記ヒンジピン４の先端部に対応する形状に形成されている。このように、簡単な構成で、上記ヒンジピン４と上記取付孔２０とを嵌合することができる。
【００３２】
上記カバー部材５は、上記冷蔵庫本体１の上部の上記テーブル部１０の左右両側のそれぞれに離脱自在に取り付けられる。左右の上記カバー部材５は、左右の上記ヒンジ保持部材３のそれぞれを覆う。上記左右のカバー部材５は、互いに対称に、形成されている。上記カバー部材５は、弾性変形して、上記テーブル部１０の前縁部に着脱される。
【００３３】
図３Ａ、図３Ｂおよび図３Ｃに示すように、上記カバー部材５は、本体部５０と、この本体部５０に取り付けられたツメ部５６、ガイド部５７およびピン部５８とを有する。このカバー部材５は、図１の右側のカバー部材５を示している。なお、図３Ｂは、図３ＡのＸ方向からみた図であり、図３Ｃは、図３ＡのＹ方向からみた図である。
【００３４】
この本体部５０は、湾曲状に形成され、厚肉部５０ａと薄肉部５０ｂとを有する。上記薄肉部５０ｂにおける上記ヒンジ保持部材３に対向する面は、上記厚肉部５０ａにおける上記ヒンジ保持部材３に対向する面よりも、上記ヒンジ保持部材３から遠い位置にある。
【００３５】
上記薄肉部５０ｂにおける上記ヒンジ保持部材３に対向する面と、上記厚肉部５０ａにおける上記ヒンジ保持部材３に対向する面との間には、段差部５１が設けられている。この段差部５１は、斜めにカットされて、形成されている。
【００３６】
つまり、上記薄肉部５０ｂは、上記厚肉部５０ａに比べて、上記ヒンジ保持部材３側への押圧力に対する抵抗力が小さくなって、上記薄肉部５０ｂは、弾性変形しやすくなる。
【００３７】
上記ツメ部５６は、上記薄肉部５０ｂに連なっている。上記ツメ部５６は、上記本体部５０の一辺側に、一方向（上記冷蔵庫本体１の内側）に突出するように、設けられている。
【００３８】
上記ガイド部５７は、複数設けられ、この複数のガイド部５７は、上記一方向（上記冷蔵庫本体１の内側）に突出するように、設けられている。
【００３９】
上記ピン部５８は、上記本体部５０における上記ヒンジ保持部材３に対向する面に、上記ヒンジ保持部材３側に突出するように、設けられている。
【００４０】
図２に示すように、上記ピン部５８は、上記ヒンジピン４の真上に位置する。このピン部５８は、上記ヒンジピン４が上記取付孔２０に完全に差し込まれない状態で、上記ヒンジピン４に接触して、上記カバー部材５の上記冷蔵庫本体１への取り付けを阻止する一方、上記ヒンジピン４が上記取付孔２０に完全に差し込まれた状態で、上記ヒンジピン４に接触せずに、上記カバー部材５の上記冷蔵庫本体１への取り付けを可能にする。
【００４１】
図４と図５に示すように、上記冷蔵庫本体１のテーブル部１０は、上記カバー部材５の上記ツメ部５６を掛けるツメ部取付孔１２と、上記カバー部材５の上記ガイド部５７を挿入するガイド部取付孔１４とを有する。なお、図４は、図１のＢ１−Ｂ１断面図を示し、図５は、図１のＢ２−Ｂ２断面図を示す。
【００４２】
上記ツメ部５６を上記ツメ部取付孔１２に掛けることで、上記カバー部材５は、上記冷蔵庫本体１に固定されると共に、上記ガイド部５７を上記ガイド部取付孔１４に一定方向（左右方向）に挿入することで、上記カバー部材５は、上記冷蔵庫本体１に位置決めされて、上記一定方向（左右方向）以外への動きを抑制される。つまり、上記ガイド部５７が上記ガイド部取付孔１４に挿入されて、上記カバー部材５は、前後方向および上下方向の動きが抑制され、上記カバー部材５が不意に上記テーブル部１０から脱落することを防止する。
【００４３】
上記カバー部材５を弾性変形して上記ツメ部５６を上記ツメ部取付孔１２から外すと共に、上記カバー部材５を上記一定方向（左右方向）にスライドして上記ガイド部５７を上記ガイド部取付孔１４から抜き取ることで、上記カバー部材５は、上記冷蔵庫本体１から離脱される。
【００４４】
つまり、上記カバー部材５を取り外す際、図６Ａに示すように、上記カバー部材５の上記ツメ部５６付近の上面を指で押さえて、下方向の負荷をかける。上記カバー部材５の弾性変形により、上記ツメ部５６の位置を無負荷状態の位置から下げて、上記ツメ部５６の上記ツメ部取付孔１２に対する掛かりをなくしてから、図６Ｂに示すように、上記ガイド部５７による動きの抑制を受けていない左右方向に、上記カバー部材５をスライドさせることで、上記カバー部材５を上記テーブル部１０から取り外すことができる。
【００４５】
図１と図７Ａに示すように、上記冷蔵庫本体１の上記テーブル部１０における上記左右のカバー部材５，５の間に位置する部分１０ａは、上記扉２の真上に張り出している。この張り出し部分１０ａの内部は、（ウレタン等の）断熱材７で満たされている。上記カバー部材５は、上記張り出し部分１０ａと同じ材質である。このため、上記カバー部材５を、上記張り出し部分１０ａに対して、色調や質感を合わすことができ、一体感を持たせることができる。なお、図７Ａは、図１のＣ１−Ｃ１断面図である。
【００４６】
具体的に述べると、上記張り出し部分１０ａ以外において、上記テーブル部１０の上面と上記冷蔵庫本体１の外箱１７との間に、第１の密閉空間が形成されている。上記張り出し部分１０ａにおいて、上記テーブル部１０の上面とキャップ１５との間に、第２の密閉空間が形成されている。
【００４７】
上記第１の密閉空間と上記第２の密閉空間とは、孔１６によって、繋がっており、上記断熱材７がウレタンである場合、ウレタン発泡の際に、上記断熱材７は、上記第１の密閉空間で発泡し、さらに、上記孔１６を通過して、上記第２の密閉空間を満たす。
【００４８】
上記テーブル部１０に上記張り出し部分１０ａを設けているので、上記テーブル部１０の上面で、ジュースや醤油等の液体がこぼれたり、埃が溜まっていたとしても、上記張り出し部分１０ａによって、上記扉２のパッキンへの進入を阻止して、衛生的に問題がない。
【００４９】
図１と図７Ｂに示すように、上記テーブル部１０は、上面部１０ｂと、この上面部１０ｂの裏面に設けられた複数のリブ部１０ｃとを有する。なお、図７Ｂは、図１のＣ２−Ｃ２断面図である。
【００５０】
上記上面部１０ｂの肉厚ｔは、２．３ｍｍであり、隣り合う上記リブ部１０ｃのピッチＰは、２５ｍｍである。このため、上記上面部１０ｂに、耐熱グレード樹脂を用いなくても、上記上面部１０ｂに、耐熱温度１００℃を表示できる性質を持たせることができる。したがって、上記上面部１０ｂに、安価な一般耐熱グレードの樹脂を用いても、上記上面部１０ｂに、レンジなどを置くことが可能になる。
【００５１】
次に、上記扉２を右開きから左開きに変更する場合を説明する。
【００５２】
まず、上記左右のカバー部材５を弾性変形させて上記冷蔵庫本体１から取り外す。そして、上記扉２を閉じた状態で、上記扉２の右側の上記取付孔２０、および、右側の上記ヒンジ保持部材３の上記貫通孔３０に差し込まれている上記ヒンジピン４を抜き取る。
【００５３】
その後、上記扉２を上記冷蔵庫本体１から取り外して、上記ピン部６２を右側の上記支持部材６１から抜き取り、このピン部６２を左側の上記支持部材６１に差し込み、上記扉２の左側の下部の孔部を、上記ピン部６２に差し込ませる。
【００５４】
そして、抜き取った上記ヒンジピン４を、左側の上記ヒンジ保持部材３の上記貫通孔３０、および、上記扉２の左側の上記取付孔２０に差し込むことで、上記扉２を左開きに変更することができる。そして、上記左右のカバー部材５を弾性変形させて上記冷蔵庫本体１に再度取り付ける。このように、専用工具を使用せず、容易に上記扉２の左右開きを変更することができる。
【００５５】
上記構成の冷蔵庫によれば、上記冷蔵庫本体１の左右両側のそれぞれに離脱自在に取り付けられると共に上記ヒンジ保持部材３および上記ヒンジピン４を覆うカバー部材５を備えるので、上記扉２の左右開きを変更するときに、左右の上記カバー部材５を個別に取り外して、上記ヒンジピン４を左右に差し変える。
【００５６】
したがって、上記カバー部材５は、上記冷蔵庫本体１の左右両側のそれぞれに設けられ、上記カバー部材５を小型に形成できるので、上記扉２の左右開きを変更するときに、上記カバー部材５の取り外しの作業スペースを小さくできる。また、上記カバー部材５の材料の量を、従来に比べて、少なくすることができ、冷蔵庫の左右にヒンジ構造が存在することを視覚的に示すことができる。
【００５７】
また、上記カバー部材５は、ツメ部５６とガイド部５７とを有し、上記冷蔵庫本体１は、上記ツメ部取付孔１２と上記ガイド部取付孔１４とを有し、上記ツメ部５６を上記ツメ部取付孔１２に掛けることで、上記カバー部材５は、上記冷蔵庫本体１に固定されると共に、上記ガイド部５７を上記ガイド部取付孔１４に一定方向に挿入することで、上記カバー部材５は、上記冷蔵庫本体１に位置決めされて、上記一定方向以外への動きを抑制されるので、簡単な構成で、上記カバー部材５の上記冷蔵庫本体１への固定および位置決めを行うことができる。
【００５８】
また、上記カバー部材５を弾性変形して上記ツメ部５６を上記ツメ部取付孔１２から外すと共に、上記カバー部材５を上記一定方向にスライドして上記ガイド部５７を上記ガイド部取付孔１４から抜き取ることで、上記カバー部材５は、上記冷蔵庫本体１から離脱されるので、専用工具を使用せずに上記カバー部材５を一度の作業で上記冷蔵庫本体１から取り外すことができる。
【００５９】
また、上記薄肉部５０ｂにおける上記ヒンジ保持部材３に対向する面は、上記厚肉部５０ａにおける上記ヒンジ保持部材３に対向する面よりも、上記ヒンジ保持部材３から遠い位置にあるので、上記薄肉部５０ｂは、上記厚肉部５０ａに比べて、上記ヒンジ保持部材３側への押圧力に対する抵抗力が小さくなって、上記薄肉部５０ｂは、弾性変形しやすくなる。したがって、上記薄肉部５０ｂに連なっている上記ツメ部５６を、上記ツメ部取付孔１２に、容易に着脱できる。
【００６０】
また、上記カバー部材５のピン部５８は、上記ヒンジピン４が上記取付孔２０に完全に差し込まれない状態で、上記ヒンジピン４に接触して、上記カバー部材５の上記冷蔵庫本体１への取り付けを阻止する一方、上記ヒンジピン４が上記取付孔２０に完全に差し込まれた状態で、上記ヒンジピン４に接触せずに、上記カバー部材５の上記冷蔵庫本体１への取り付けを可能にするので、上記ヒンジピン４が上記取付孔２０に確実に差し込まれていない状態で、上記カバー部材５を上記冷蔵庫本体１に取り付けようとすると、上記ピン部５８が上記ヒンジピン４の上部に当接して、上記カバー部材５を上記冷蔵庫本体１に取り付けることができず、上記ヒンジピン４が上記取付孔２０に確実に差し込まれているか否かを、容易に判断することができる。また、上記ピン部５８にて上記ヒンジピン４の上記取付孔２０からの抜けを防止することができる。
【００６１】
また、上記冷蔵庫本体１の張り出し部分１０ａの内部は、断熱材７で満たされているので、庫内からの冷気漏れを防ぐことができる。
【００６２】
これに対して、従来の冷蔵庫では、図８に示すように、カバー部材１０４は、冷蔵庫本体の左右に対して長尺に形成されているので、上記カバー部材１０４の材料の量が多くなると共に、冷蔵庫の左右にヒンジ構造が存在することを視覚的に示すことができない。
【００６３】
また、従来の冷蔵庫では、図８と図９に示すように、上記カバー部材１０４の内部に、取外し機構１０５が設置されている。なお、図９は、図８のＤ−Ｄ断面図である。
【００６４】
詳しく述べると、上記カバー部材１０４の第１のツメ部１２５ａが、冷蔵庫本体の上部のテーブル部１０３の取付孔１２６に掛かると共に、上記カバー部材１０４の第２のツメ部１２５ｂが、上記テーブル部１０３に設置された上記取外し機構１０５の先端にある抑止部１２４に掛かることによって、上記カバー部材１０４が上記テーブル部１０３に固定されている。
【００６５】
そして、上記カバー部材１０４を取り外すには、上記取外し機構１０５を指などにより奥方向に押し、上記取外し機構１０５のばね構造１１３を収縮させることで、上記取外し機構１０５の上記抑止部１２４と上記カバー部材１０４の上記第２のツメ部１２５ｂとの掛かりを外した後、図１０に示すように、上記カバー部材１０４を上方向に持ち上げ、上記カバー部材１０４の上記第１のツメ部１２５ａと上記テーブル部１０３の上記取付孔１２６との掛かりを外すことで、上記カバー部材１０４の取外しを行っていた。
【００６６】
このように、上記カバー部材１０４を取り外す際には、上記ばね構造１１３を収縮させると同時に、上記カバー部材１０４の上記第２のツメ部１２５ｂの掛かりを外す作業を行い、その後、上記カバー部材１０４の上記第１のツメ部１２５ａの掛かりを外す作業を行っており、手間がかかっていた。
【００６７】
また、上記カバー部材１０４に上記取外し機構１０５を収納しなくてはならず、その分、上記テーブル部１０３を厚くする必要がある。また、上記カバー部材１０４の内部に、上記取外し機構５が設置されているため、上記カバー部材１０４の内部に、ウレタン等の断熱材を満たすことはできない。
【００６８】
なお、この発明は上述の実施形態に限定されない。例えば、上記下ヒンジ部６は、上記扉２の下面に設けられた切り欠き凹部（または凸部）と、上記冷蔵庫本体１に設けられると共に上記切り欠き凹部（または上記凸部）に嵌合する凸部（または切り欠き凹部）とを備えるようにしてもよい。
【図面の簡単な説明】
【００６９】
【図１】本発明の冷蔵庫の一実施形態を示す平面図である。
【図２】図１のＡ−Ａ断面図である。
【図３Ａ】カバー部材の平面図である。
【図３Ｂ】図３ＡのＸ方向からみたカバー部材の側面図である。
【図３Ｃ】図３ＡのＹ方向からみたカバー部材の正面図である。
【図４】図１のＢ１−Ｂ１断面図である。
【図５】図１のＢ２−Ｂ２断面図である。
【図６Ａ】カバー部材の取り外しを説明する作用説明図である。
【図６Ｂ】カバー部材の取り外しを説明する作用説明図である。
【図７Ａ】図１のＣ１−Ｃ１断面図である。
【図７Ｂ】図１のＣ２−Ｃ２断面図である。
【図８】従来の冷蔵庫を示す平面図である。
【図９】図８のＤ−Ｄ断面図である。
【図１０】カバー部材の取り外しを説明する作用説明図である。
【符号の説明】
【００７０】
１    冷蔵庫本体
１０  テーブル部
１０ａ  張り出し部分
１０ｂ  上面部
１０ｃ  リブ部
１２  ツメ部取付孔
１４  ガイド部取付孔
１５  キャップ
１６  孔
１７  外箱
２    扉
２０  取付孔
３    ヒンジ保持部材
３０  貫通孔
４    ヒンジピン
５    カバー部材
５０  本体部
５０ａ  厚肉部
５０ｂ  薄肉部
５１  段差部
５６  ツメ部
５７  ガイド部
５８  ピン部
６    下ヒンジ部
６１  支持部材
６２  下ピン
６２ａ  鍔部
７  断熱材
１０３  テーブル部
１０４  カバー部材
１０５  取外し機構
１１３  ばね構造
１２４  抑止部
１２５ａ  第１のツメ部
１２５ｂ  第２のツメ部
１２６  取付孔
【図１】
0005132254.tif 000002
【図２】
0005132254.tif 000003
【図３Ａ】
0005132254.tif 000004
【図３Ｂ】
0005132254.tif 000005
【図３Ｃ】
0005132254.tif 000006
【図４】
0005132254.tif 000007
【図５】
0005132254.tif 000008
【図６Ａ】
0005132254.tif 000009
【図６Ｂ】
0005132254.tif 000010
【図７Ａ】
0005132254.tif 000011
【図７Ｂ】
0005132254.tif 000012
【図８】
0005132254.tif 000013
【図９】
0005132254.tif 000014
【図１０】
0005132254.tif 000015